【手続補正書】
【提出日】平成16年11月15日(2004.11.15)
【手続補正１】
【補正対象書類名】明細書
【補正対象項目名】特許請求の範囲
【補正方法】変更
【補正の内容】
【特許請求の範囲】
【請求項１】
複数の通信方式を適用可能な通信手段と、外部電源に接続する外部電源接続手段と、前記外部電源接続手段が外部電源に接続されているか否かを検知する電源検知手段とを有する周辺機器を制御する制御装置であって、
前記周辺機器と接続するための通信手段と、
前記周辺機器との通信に用いられている通信方式を検知する検知手段と、
前記検知手段により検知された通信方式を通知する通知手段とを有し、
前記通信方式は、第１通信速度で通信可能な第１通信方式と、前記第１通信速度よりも高速の第２通信速度で通信可能な第２通信方式とを含み、前記通信手段を介して前記電源検知手段による検知結果を受信し、前記検知手段が前記第２通信方式が用いられていることを検知し、且つ前記外部電源接続手段が外部電源に接続されていないと検知された場合に、前記通知手段は更に、前記外部電源接続手段が外部電源に接続されていないことを通知することを特徴とする制御装置。
【請求項２】
前記検知手段及び前記通知手段は、前記周辺機器との接続時に動作を行うことを特徴とする請求項１に記載の制御装置。
【請求項３】
前記検知手段及び前記通知手段は、前記周辺機器を制御するための制御プログラムの起動が指示された時に動作を行うことを特徴とする請求項１または２に記載の制御装置。
【請求項４】
前記通知手段の有効化・無効化の切り換えを行う切り換え手段を更に有することを特徴とする請求項１乃至３のいずれかに記載の制御装置。
【請求項５】
前記複数の通信方式は、USB1.0、USB1.1、 USB2.0、 IEEEE1394、SCSI、EPP、ECP、IR、Blue Toothの少なくともいずれか１つを含むことを特徴とする請求項１乃至４のいずれかに記載の制御装置。
【請求項６】
前記周辺機器は、画像読み取り装置、撮像装置、プリント装置、ディスクドライブを含むことを特徴とする請求項１乃至５のいずれかに記載の制御装置。
【請求項７】
複数の通信方式を適用可能な通信手段と、外部電源に接続する外部電源接続手段と、前記外部電源接続手段が外部電源に接続されているか否かを検知する電源検知手段とを有する周辺機器と、当該周辺機器を制御する制御装置とからなるシステムであって、
前記周辺機器と前記制御装置とを接続するための通信手段と、
前記周辺機器と前記制御装置間の通信に用いられている通信方式を検知する検知手段と、
前記検知手段により検知された通信方式を通知する通知手段とを有し、
前記通信方式は、第１通信速度で通信可能な第１通信方式と、前記第１通信速度よりも高速の第２通信速度で通信可能な第２通信方式とを含み、前記検知手段が前記第２通信方式の通信手段が用いられていることを検知し、且つ前記電源検知手段が前記外部電源接続手段が外部電源に接続されていないと検知した場合に、前記通知手段は更に、前記外部電源接続手段が外部電源に接続されていないことを通知することを特徴とするシステム。
【請求項８】
前記検知手段及び前記通知手段は、前記周辺機器と前記制御装置の接続時に動作を行うことを特徴とする請求項７に記載のシステム。
【請求項９】
前記検知手段及び前記通知手段は、前記制御装置において前記周辺機器を制御するための制御プログラムの起動が指示された時に動作を行うことを特徴とする請求項７または８に記載のシステム。
【請求項１０】
前記通知手段の有効化・無効化の切り換えを行う切り換え手段を更に有することを特徴とする請求項７乃至９のいずれかに記載のシステム。
【請求項１１】
前記複数の通信方式は、USB1.0、USB1.1、 USB2.0、 IEEEE1394、SCSI、EPP、ECP、IR、Blue Toothの少なくともいずれか１つを含むことを特徴とする請求項７乃至１０のいずれかに記載のシステム。
【請求項１２】
前記周辺機器は、画像読み取り装置、撮像装置、プリント装置、ディスクドライブを含むことを特徴とする請求項７乃至１１のいずれかに記載のシステム。
【請求項１３】
複数の通信方式を適用可能な通信手段と、外部電源に接続する外部電源接続手段とを有する周辺機器の制御方法であって、
前記周辺機器との通信に用いられている通信方式を検知する検知工程と、
前記検知工程で検知された通信方式を通知する通知工程と、
前記外部電源接続手段が外部電源に接続されているか否かを判断する電源検知工程とを有し、
前記通信方式は、第１通信速度で通信可能な第１通信方式と、前記第１通信速度よりも高速の第２通信速度で通信可能な第２通信方式とを含み、更に、
前記検知工程において前記第２通信方式の通信手段が用いられていることを検知し、且つ、前記電源検知工程において外部電源接続手段が外部電源に接続されていないと検知した場合に、前記外部電源接続手段を外部電源に接続するように通知する工程と
を有することを特徴とする制御方法。
【請求項１４】
前記検知工程及び前記通知工程は、前記周辺機器との接続時に実行されることを特徴とする請求項１３に記載の制御方法。
【請求項１５】
前記検知工程及び前記通知工程は、前記周辺機器を制御するための制御プログラムの起動が指示された時に実行されることを特徴とする請求項１３または１４に記載の制御方法。
【請求項１６】
前記通知工程の有効化・無効化の切り換えを行う切り換え工程を更に有することを特徴とする請求項１３乃至１５のいずれかに記載の制御方法。
【請求項１７】
前記複数の通信方式は、USB1.0、USB1.1、 USB2.0、 IEEEE1394、SCSI、EPP、ECP、IR、Blue Toothの少なくともいずれか１つを含むことを特徴とする請求項１３乃至１６のいずれかに記載の制御方法。
【請求項１８】
前記周辺機器は、画像読み取り装置、撮像装置、プリント装置、ディスクドライブを含むことを特徴とする請求項１３乃至１７のいずれかに記載の制御方法。
【請求項１９】
情報処理装置が実行可能なプログラムであって、前記プログラムを実行した情報処理装置を、請求項１乃至６のいずれかに記載の制御装置として機能させることを特徴とするプログラム。
【請求項２０】
請求項１３乃至１８のいずれかに記載の制御方法を実現するためのプログラムコードを有する情報処理装置が実行可能なプログラム。
【請求項２１】
請求項１９又は２０に記載のプログラムを記憶した記憶媒体。
【請求項２２】
外部装置と接続して用いられる周辺機器であって、
複数の通信方式を適用可能な通信手段と、
前記外部装置との通信に用いられている通信方式を検知する検知手段と、
前記検知手段により検知された通信方式を通知する通知手段と、
外部電源に接続する外部電源接続手段と、
前記外部電源接続手段が外部電源に接続されているか否かを検知する電源検知手段とを有し、
前記通信方式は、第１通信速度で通信可能な第１通信方式と、前記第１通信速度よりも高速の第２通信速度で通信可能な第２通信方式とを含み、前記検知手段が前記第２通信方式の通信手段が用いられていると判断し、且つ前記電源検知手段により前記外部電源接続手段が外部電源に接続していないと検知された場合に、前記通知手段は更に、前記外部電源接続手段が外部電源に接続されていないことを通知することを特徴とする周辺機器。
【請求項２３】
前記検知手段及び前記通知手段は、前記外部装置との接続時に動作を行うことを特徴とする請求項２２に記載の周辺機器。
【請求項２４】
前記複数の通信方式は、USB1.0、USB1.1、 USB2.0、 IEEEE1394、SCSI、EPP、ECP、IR、Blue Toothの少なくともいずれか１つを含むことを特徴とする請求項２２または２３に記載の周辺機器。
【請求項２５】
前記周辺機器は、画像読み取り装置、撮像装置、プリント装置、ディスクドライブを含むことを特徴とする請求項２２乃至２４のいずれかに記載の周辺機器。
【手続補正２】
【補正対象書類名】明細書
【補正対象項目名】００１３
【補正方法】変更
【補正の内容】
【００１３】
【課題を解決するための手段】
上記目的を達成するために、複数の通信方式を適用可能な通信手段と、外部電源に接続する外部電源接続手段と、前記外部電源接続手段が外部電源に接続されているか否かを検知する電源検知手段とを有する周辺機器を制御する本発明の制御装置は、前記周辺機器と接続するための通信手段と、前記周辺機器との通信に用いられている通信方式を検知する検知手段と、前記検知手段により検知された通信方式を通知する通知手段とを有し、前記通信方式は、第１通信速度で通信可能な第１通信方式と、前記第１通信速度よりも高速の第２通信速度で通信可能な第２通信方式とを含み、前記通信手段を介して前記電源検知手段による検知結果を受信し、前記検知手段が前記第２通信方式が用いられていることを検知し、且つ前記外部電源接続手段が外部電源に接続されていないと検知された場合に、前記通知手段は更に、前記外部電源接続手段が外部電源に接続されていないことを通知する。
【手続補正３】
【補正対象書類名】明細書
【補正対象項目名】００１４
【補正方法】変更
【補正の内容】
【００１４】
また、複数の通信方式を適用可能な通信手段と、外部電源に接続する外部電源接続手段と、前記外部電源接続手段が外部電源に接続されているか否かを検知する電源検知手段とを有する周辺機器と、当該周辺機器を制御する制御装置とからなる本発明のシステムは、前記周辺機器と前記制御装置とを接続するための通信手段と、前記周辺機器と前記制御装置間の通信に用いられている通信方式を検知する検知手段と、前記検知手段により検知された通信方式を通知する通知手段とを有し、前記通信方式は、第１通信速度で通信可能な第１通信方式と、前記第１通信速度よりも高速の第２通信速度で通信可能な第２通信方式とを含み、前記検知手段が前記第２通信方式の通信手段が用いられていることを検知し、且つ前記電源検知手段が前記外部電源接続手段が外部電源に接続されていないと検知した場合に、前記通知手段は更に、前記外部電源接続手段が外部電源に接続されていないことを通知する。
【手続補正４】
【補正対象書類名】明細書
【補正対象項目名】００１５
【補正方法】変更
【補正の内容】
【００１５】
更に、複数の通信方式を適用可能な通信手段と、外部電源に接続する外部電源接続手段とを有する周辺機器の本発明の制御方法は、前記周辺機器との通信に用いられている通信方式を検知する検知工程と、前記検知工程で検知された通信方式を通知する通知工程と、前記外部電源接続手段が外部電源に接続されているか否かを判断する電源検知工程とを有し、前記通信方式は、第１通信速度で通信可能な第１通信方式と、前記第１通信速度よりも高速の第２通信速度で通信可能な第２通信方式とを含み、更に、前記検知工程において前記第２通信方式の通信手段が用いられていることを検知し、且つ、前記電源検知工程において外部電源接続手段が外部電源に接続されていないと検知した場合に、前記外部電源接続手段を外部電源に接続するように通知する工程とを有する。
【手続補正５】
【補正対象書類名】明細書
【補正対象項目名】００１６
【補正方法】変更
【補正の内容】
【００１６】
また、外部装置と接続して用いられる本発明の周辺機器は、複数の通信方式を適用可能な通信手段と、前記外部装置との通信に用いられている通信方式を検知する検知手段と、前記検知手段により検知された通信方式を通知する通知手段と、外部電源に接続する外部電源接続手段と、前記外部電源接続手段が外部電源に接続されているか否かを検知する電源検知手段とを有し、前記通信方式は、第１通信速度で通信可能な第１通信方式と、前記第１通信速度よりも高速の第２通信速度で通信可能な第２通信方式とを含み、前記検知手段が前記第２通信方式の通信手段が用いられていると判断し、且つ前記電源検知手段により前記外部電源接続手段が外部電源に接続していないと検知された場合に、前記通知手段は更に、前記外部電源接続手段が外部電源に接続されていないことを通知する。
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】